(57)【要約】【課題】  液晶パネルに供給される光量を低下させずに、光源からの光を利用して電力を生成することが可能な液晶表示装置を提供する。【解決手段】  冷陰極放電管２２の背面側に配置された反射シ−ト２３と、金属製のリアフレ−ム２０との間に充電パネル２４が配置され、冷陰極放電管２２から発せられる光のうち、反射シ−ト２３を透過した光を充電パネル２４により受光して電力を生成するとともにバッテリ−２３に充電するように構成する。【選択図】図３
2006215113.tif 000002
【特許請求の範囲】
【請求項１】
液晶パネルと、同液晶パネルの背面側に配置されたＵ字形状の冷陰極放電管からなる光源と、同光源の背面側に配置された乳白色の薄い樹脂製の反射シ−トと、同反射シ−トの背面側に配置されたリアフレ−ムとを具備する液晶表示装置において、
上記光源からの光を受光して電力を生成するものであり、上記反射シ−トの受光面と略同一の面積の受光面を有する略シ−ト状の充電パネルが、上記反射シ−トと上記リアフレ−ムとの間に介装され、
上記充電パネルにより生成された電力を充電するバッテリ−と、
本体の電源がオフになったことを受けて、上記バッテリ−から電力が供給されるように切り替えるとともに、上記バッテリ−の電力の残量が所定の基準値を下回ったことを受けて、電源回路から電力が供給されるように切り替える電源切替手段とを具備し、
上記リアフレ−ムの背面側には、上記液晶パネルおよび上記光源からの配線を導出するための切欠形成部が形成されており、上記充電パネルにおける同切欠形成部の前面側には開口が形成されていることを特徴とする液晶表示装置。
【請求項２】
液晶パネルと、同液晶パネルの背面側に配置された光源と、同光源の背面側に配置された反射シ−トと、同反射シ−トの背面側に配置されたリアフレ−ムとを具備する液晶表示装置において、
上記光源からの光を受光して電力を生成する略シ−ト状の充電パネルが、上記反射シ−トと上記リアフレ−ムとの間に配置され、
上記充電パネルにより生成された電力を充電するバッテリ−を具備することを特徴とする液晶表示装置。
【請求項３】
本体の電源がオフになったことを受けて、上記バッテリ−から電力が供給されるように切り替える電源切替手段を具備することを特徴とする請求項２に記載の液晶表示装置。
【請求項４】
上記電源切替手段は、さらに、上記バッテリ−の電力の残量が所定の基準値を下回ったことを受けて、電源回路から電力が供給されるように切り替えることを特徴とする請求項３に記載の液晶表示装置。
【請求項５】
上記充電パネルの受光面の面積は、上記反射シ−トの受光面の面積と略同一であることを特徴とする請求項２〜４のいずれかに記載の液晶表示装置。
【請求項６】
上記光源は、Ｕ字形状の冷陰極放電管であることを特徴とする請求項２〜５のいずれかに記載の液晶表示装置。
【請求項７】
上記反射シ−トは、乳白色の薄い樹脂製であることを特徴とする請求項２〜６のいずれかに記載の液晶表示装置。
【請求項８】
上記リアフレ−ムの背面側には、上記液晶パネルおよび上記光源からの配線を導出するための切欠形成部が形成されており、上記充電パネルにおける同切欠形成部の前面側には開口が形成されていることを特徴とする請求項２〜７のいずれかに記載の液晶表示装置。
【発明の詳細な説明】
【技術分野】
【０００１】
本発明は、液晶表示装置に関するものである。
【背景技術】
【０００２】
従来、バックライト光源から照射される光の一部を受光して電力を生成させる太陽電池パネルを配設し、生成した電力を２次電池に充電するようにした液晶表示装置が知られている（例えば、特許文献１〜３参照）。２次電池で充電された電力は、液晶表示装置の駆動のために用いられる。
【特許文献１】特開平０３−１２６９１４号公報
【特許文献２】特開平０２−２９６２３号公報
【特許文献３】特開平０４−２９６８１４号公報
【発明の開示】
【発明が解決しようとする課題】
【０００３】
上述したようにバックライト光源の光から電力を生成するように構成する場合においては、充電パネルを配置させる位置が問題となる。すなわち、上記バックライト光源から、映像が表示される液晶パネルに照射される光を遮蔽するように充電パネルを配置してしまうと、表示される画像の質が悪化することとなる。
上述した特許文献１に記載の液晶表示装置では、バックライト光源からの光を反射させて前方の液晶パネルに供給させるための反射シ−トの一部を切り欠き、その切欠部を光が通過するように構成されているが、この構成では、液晶パネルに供給される光量が低下してしまい、画質の低下を招来してしまう。
また、特許文献１、２に記載の液晶表示装置は、反射シ−トの前面側に透明電極を具備する充電パネルを配置するように構成されているが、バックライト光源からの光の一部を透過させることができるものの、一部の光が充電パネルに吸収されてしまうため、同様に液晶パネルに供給される光量が低下してしまう。
【０００４】
本発明は、かかる実情に鑑み、液晶パネルに供給される光量を低下させずに、光源からの光を利用して電力を生成することが可能な液晶表示装置を提供するものである。
【課題を解決するための手段】
【０００５】
上記目的を達成するため、請求項２にかかる発明は、液晶パネルと、同液晶パネルの背面側に配置された光源と、同光源の背面側に配置された反射シ−トと、同反射シ−トの背面側に配置されたリアフレ−ムとを具備する液晶表示装置において、
上記光源からの光を受光して電力を生成する略シ−ト状の充電パネルが、上記反射シ−トと上記リアフレ−ムとの間に配置され、
上記充電パネルにより生成された電力を充電するバッテリ−を具備する構成としてある。
【０００６】
上記のように構成した請求項２において、液晶表示装置は、液晶パネルと、同液晶パネルの背面側に配置された光源と、同光源の背面側に配置された反射シ−トと、同反射シ−トの背面側に配置されたリアフレ−ムとを具備している。すなわち、この液晶表示装置は、液晶パネルの背面側に配置された光源から同液晶パネルに光を供給する直下型の液晶表示装置である。
【０００７】
そして、光源からの光を受光して電力を生成する略シ−ト状の充電パネルが、上記反射シ−トと上記リアフレ−ムとの間に配置され、上記充電パネルに生成された電力を充電するバッテリ−を具備している。
上記構成では、充電パネルが光源の前方または反射シ−トの前方に配置されていないので、液晶パネルに供給される光量が低下することがない。そして、反射シ−トの背面側に充電パネルを配置させ、同反射シ−トを透過した光を受光して電力を生成するようにすることが可能となる。その結果、液晶パネルに供給される光量を低下させずに、光源からの光を利用して電力を生成することが可能な液晶表示装置を提供することができる。
【０００８】
また、請求項３にかかる発明は、本体の電源がオフになったことを受けて、上記バッテリ−から電力が供給されるように切り替える電源切替手段を具備する構成としてある。
上記のように構成した請求項３にかかる発明では、本体の電源がオフになったスタンバイ状態のときの供給電力を、光源の光から充電した電力で賄うように構成されている。液晶表示装置においては、電源がオンであるときの動作中には消費電力が大きいため、光源の光から充電した電力では不十分となってしまう。しかし、スタンバイ状態のときには消費電力が小さいため、供給電力として上記バッテリ−の電力を利用することができる。
【０００９】
また、請求項４にかかる発明は、上記電源切替手段が、さらに、上記バッテリ−の電力の残量が所定の基準値を下回ったことを受けて、電源回路から電力が供給されるように切り替える構成としてある。
上記のように構成した請求項４にかかる発明では、スタンバイ時の電力を供給するバッテリ−の電力が低下すると、電源回路から電力を供給する通常の状態に切り替わるようにすることにより、スタンバイ時に安定して電力を供給することができる。
【００１０】
また、請求項５にかかる発明は、上記充電パネルの受光面の面積は、上記反射シ−トの受光面の面積と略同一である構成としてある。
上記のように構成した請求項５にかかる発明では、反射シ−トを透過した光のほぼ全てを充電パネルの受光面に受光させることが可能となる。
【００１１】
また、請求項６にかかる発明は、上記光源が、Ｕ字形状の冷陰極放電管である構成としてある。
上記のように構成した請求項６にかかる発明では、Ｕ字形状の冷陰極放電管からの光を液晶パネルに供給することができる。
【００１２】
また、請求項７にかかる発明は、上記反射シ−トが乳白色の薄い樹脂製である構成としてある。
上記のように構成した請求項７にかかる発明では、反射シ−トを透過する光量を増加させることができるため、好適に充電を行うことが可能となる。
【００１３】
また、請求項８にかかる発明は、上記リアフレ−ムの背面側には、上記液晶パネルおよび上記光源からの配線を導出するための切欠形成部が形成されており、上記充電パネルにおける同切欠形成部の前面側には開口が形成されている構成としてある。
上記のように構成した請求項８にかかる発明では、液晶パネルおよび光源等からの配線を通すことが可能となる。
【発明の効果】
【００１４】
本発明の請求項２にかかる発明では、液晶パネルに供給される光量を低下させずに、光源からの光を利用して電力を生成することが可能な液晶表示装置を提供することができる。
請求項３にかかる発明では、スタンバイ時の供給電力としてバッテリ−に充電されている電力を利用することができる。
請求項４にかかる発明では、スタンバイ時に安定して電力を供給することができる。
請求項５にかかる発明では、反射シ−トを透過した光のほぼ全てを充電パネルの受光面に受光させることが可能となる。
請求項６にかかる発明では、Ｕ字形状の冷陰極放電管からの光を液晶パネルに供給することができる。
請求項７にかかる発明では、反射シ−トを透過する光量を増加させることができるため、好適に充電を行うことが可能となる。
請求項８にかかる発明では、液晶パネルおよび光源等からの配線を通すことが可能となる。
【発明を実施するための最良の形態】
【００１５】
ここでは、下記の順序に従って本発明の実施の形態について説明する。
（１）液晶表示装置の外観：
（２）充電パネルの配置位置：
（３）液晶表示装置の動作：
（４）各種変形例：
（５）まとめ：
【００１６】
（１）液晶表示装置の外観：
以下、図面に基づいて本発明の実施形態を説明する。なお、以下の説明では、本発明の液晶表示装置を、テレビジョン放送電波に基づく映像を表示させる液晶テレビジョン装置に適用する場合について説明するが、本発明の液晶表示装置は、これに限定されるものではなく、チュ−ナを具備せず、単に入力された映像信号に基づく映像を表示させる液晶ディスプレイであってもよい。
【００１７】
図１は、実施形態にかかる液晶テレビジョン装置の外観を示す正面図であり、図２は、図１に示した液晶テレビジョン装置の背面図である。なお、図２では、液晶テレビジョン装置のリアパネルを取り外した状態を示している。図１において、液晶テレビジョン装置１０は、受信したテレビジョン放送信号に基づく映像を表示させるための液晶パネル１２等の各種の装置が設置された液晶表示部１５と、この液晶表示部を立設した状態で支持する支持脚部１６とからなる。液晶パネル１２は、矩形枠形状のフロントパネル１１の開口部に嵌め込まれている。また、液晶パネル１２の右下側には、受信チャンネルの選択や音量の増減等の各種の設定操作を行う操作パネル部１３が設けられている。
【００１８】
また、図２に示すように、フロントパネル１１の内部には、金属製のリアフレ−ム２０が取り付けられている。図２には示していないが、このリアフレ−ム２０とフロントパネル１１の間には、液晶パネル１２、冷陰極放電管２２、反射シ−ト２３等の装置および部材が配置されている。リアフレ−ム２０は、これらの装置、部材をフロントパネル１１内部の所定位置に支持する役割を担う。
また、リアフレ−ム２０には、液晶テレビジョン装置１０の動作を制御する回路が配設された基板が取り付けられる。そのため、リアフレ−ム２０には、その基板を取り付けるための取付部２０ａが複数形成されている。また、リアフレ−ム２０には、液晶パネル１２、冷陰極放電管２２等からの配線を外部に導出するための切欠形成部２０ｂが複数形成されており、さらに、リアフレ−ム２０をフロントパネル１１に取り付けるためのパネル取付部２０ｃが複数形成されている。
【００１９】
（２）充電パネルの配置位置：
図３は、図１、図２に示した液晶テレビジョン装置の縦断面図である。同図において、フロントパネル１１の開口部に設置された液晶パネル１２は、表示される画像を前方（図３では左側）から視認可能となっている。液晶パネル１２の背面側（図３では右側）には、Ｕ字形状の冷陰極放電管２２が配置されており、液晶パネル１２に対して白色光を供給可能となっている。
また、冷陰極放電管２２の背面側には、反射シ−ト２３が配置されている。冷陰極放電管２２により背面側に向かって照射された光は、この反射シ−ト２３により反射され、前方の液晶パネル１２に供給される。また、この反射シ−ト２３に入光した光の一部は、そのまま透過し、反射シ−ト２３の背面側に配置された充電パネル２４に入光する。
【００２０】
充電パネル２４は、その受光面の面積が反射シ−ト２３の受光面の面積と略同一であり、反射シ−ト２３を透過した光のほぼ全てを受光することができるように反射シ−ト２３とリアフレ−ム２０との間に配置されている。なお、充電パネル２４の受光面の面積を、反射シ−ト２３の受光面の面積よりも若干大きくなるように設定し、冷陰極放電管２２から背面側に照射された光を直接受光することができるようにしてもよい。なお、図示していないが、この充電パネル２４における切欠形成部２０ｂの前面側には、開口が形成されており、液晶パネル１２、冷陰極放電管２２等からの配線を通すことが可能となっている。
【００２１】
図４は、図１〜図３に示した液晶テレビジョン装置１０の概略構成を示すブロック図である。同図において、液晶テレビジョン装置１０を構成する液晶パネル１２、制御回路３５および冷陰極放電管２２に対する駆動電力を供給する電力源として、電源回路３２とバッテリ−３３とを具備している。バッテリ−３３は、上述した充電パネル２４と接続されており、充電パネル２４が冷陰極放電管２２からの光を受光して生成した電力を充電する。また、電源回路３２は、電源プラグ３１と接続されており、図示しないコンセント３１から電力の供給を受ける。
【００２２】
上述した電源回路３２およびバッテリ−３３は、スイッチ回路３４に接続されており、このスイッチ回路３４は、液晶パネル１２、制御回路３５および冷陰極放電管２２に接続されている。スイッチ回路３４は、液晶パネル１２、制御回路３５および冷陰極放電管２２の各装置への駆動電力の供給を、電源回路３２またはバッテリ−３３に切り替えるためのものである。なお、この切替制御については後に図面（図５）を用いて詳述する。
上述した制御回路３５は、液晶テレビジョン装置１０の動作全体を制御するものであり、ＣＰＵ、ＲＡＭ、ＲＯＭ、および、アンテナ（図示せず）からの周波信号から映像信号を生成するチュ−ナ回路等を含むものである。本実施形態においては、電源のオン／オフの操作に応じて、制御回路３５によるスイッチ回路３４の制御が行われ、液晶パネル１２、制御回路３５および冷陰極放電管２２への駆動電力を、電源回路３２またはバッテリ−３３からの電力に切り替える。
【００２３】
（３）液晶表示装置の動作：
図５は、図１〜図４に示した液晶テレビジョン装置にて実行される電源切替処理の流れを示すフロ−チャ−トである。この電源切替処理が開始されると、まず、ステップＳ１００において、電源オフ操作があったか否かを判定する。電源オフ操作があったと判断した場合、次に、ステップＳ１１０においてスタンバイ状態に切り替える処理を行う。この処理では、液晶テレビジョン装置１０を構成する一部の装置のみに対して、電圧を低くして電力が供給されるスタンバイ状態に切り替える処理を行う。
【００２４】
ステップＳ１１０の処理を実行すると、次に、ステップＳ１２０において、スイッチ回路をバッテリ−に切り替える処理を行う。すなわち、バッテリ−３３に充電されている電力が液晶パネル１２、制御回路３５および冷陰極放電管２２の各装置の駆動電力として供給されるようにスイッチ回路３４を切り替える処理を行う。
ステップＳ１２０の処理を実行するか、または、ステップＳ１００において電源オフ操作がなかったと判定した場合、次に、ステップＳ１３０において、バッテリ−残量が基準値を下回ったか否かを判定する。すなわち、バッテリ−３３に充電されている電力の残量が、予め設定されている基準値を下回っているか否かを判定する。なお、制御回路３５は、バッテリ−３３の残量を監視するバッテリ−監視回路を備えている。ステップＳ１３０において、バッテリ−残量が基準値を下回っていると判定した場合、次に、ステップＳ１５０において、スイッチ回路を電源回路に切り替える処理を行う。すなわち、電源回路３２からの電力が、液晶パネル１２、制御回路３５および冷陰極放電管２２の各装置の駆動電力として供給されるようにスイッチ回路３４を切り替える処理を行う。
【００２５】
一方、ステップＳ１３０においてバッテリ−残量が基準値を下回っていないと判定した場合、次に、ステップＳ１４０において、電源オン操作があったか否かを判定する。電源オン操作があったと判定した場合、上述したステップＳ１５０の処理を実行し、電源回路３２からの電力が、液晶パネル１２、制御回路３５および冷陰極放電管２２の各装置の駆動電力として供給されるようにスイッチ回路３４を切り替える。
ステップＳ１５０の処理を実行するか、または、ステップＳ１４０において電源オン操作がなかったと判定した場合、電源切替処理を終了させる。この図５に示した電源切替処理を実行するとき、制御回路３５およびスイッチ回路３５は、上記電源切替手段として機能する。
【００２６】
（４）各種変形例：
上述した実施形態においては、本発明の液晶表示装置が、テレビジョン放送電波に基づく映像を表示させることが可能なチュ−ナ機能を有する液晶テレビジョン装置である場合について説明したが、本発明の液晶表示装置は、これに限定されるものではなく、例えば、入力端子を介して入力した映像信号に基づく映像を表示させる液晶ディスプレイであってもよい。
【００２７】
さらに、本発明において、充電パネルの受光面の面積は特に限定されるものではないが、実施形態に示したように、反射シ−トの受光面の面積と略同一の受光面を有していることが望ましい。反射シ−トを透過する光の全てを受光し、好適に充電することができるからである。また、上述したように、反射シ−トの受光面の面積よりも若干大きい受光面の面積を有するように充電パネルを設定し、光源から背面側に照射された光を直接受光することができるようにすることも望ましい。
【００２８】
（５）まとめ：
以上説明したように、実施形態にかかる液晶テレビジョン装置１０では、冷陰極放電管２２の背面側に配置された反射シ−ト２３と、金属製のリアフレ−ム２０との間に充電パネル２４が配置され、冷陰極放電管２２から発せられる光のうち、反射シ−ト２３を透過した光を充電パネル２４により受光して電力を生成するとともにバッテリ−２３に充電するように構成されているため、液晶パネルに供給される光量を低下させずに、光源からの光を利用して電力を生成することが可能となる。
【図面の簡単な説明】
【００２９】
【図１】実施形態にかかる液晶テレビジョン装置の外観を示す正面図である。
【図２】図１に示した液晶テレビジョン装置のリアパネルを取り外した状態の背面図である。
【図３】液晶テレビジョン装置の縦断面図である。
【図４】液晶テレビジョン装置の概略構成を示すブロック図である。
【図５】電源切替処理の流れを示すフロ−チャ−トである。
【符号の説明】
【００３０】
１０…液晶テレビジョン装置
１１…フロントパネル
１２…液晶パネル
１３…操作パネル部
１５…液晶表示部
１６…支持脚部
２０…リアフレ−ム
２０ａ…取付部
２０ｂ…切欠形成部
２０ｃ…パネル取付部
２２…冷陰極放電管
２３…反射シ−ト
２４…充電パネル
３１…電源プラグ
３２…電源回路
３３…バッテリ−
３４…スイッチ回路
３５…制御回路
【図１】
2006215113.tif 000003
【図２】
2006215113.tif 000004
【図３】
2006215113.tif 000005
【図４】
2006215113.tif 000006
【図５】
2006215113.tif 000007